(57)【要約】【課題】ポリペール缶として、収容物残渣の除去作業を要することなく缶本体を繰り返し再使用でき、同じ缶本体を性状の異なる様々な収容物に共用できるものを提供する。【解決手段】合成樹脂製の缶本体１と、缶本体１内に嵌装される合成樹脂製の内側容器２と、缶本体１の上方開口部１０に嵌着される合成樹脂製の缶蓋３と、缶本体１に対する缶蓋３の止着手段とを備え、内側容器２の開口２０周縁に缶本体１の開口周縁上に被さる鍔部２１が形成され、缶蓋３の周縁に下向きに開放した環状溝部３１を備え、環状溝部３１の溝底にパッキン４が装填されている。缶本体１内に内側容器２を嵌装し、缶本体１の開口周縁とこれに被さる内側容器２の鍔部２１とを缶蓋３の環状溝部３１に嵌合して止着手段で止着することにより、缶内を封止する。【選択図】図２
2011105320.tif 000002
【特許請求の範囲】
【請求項１】
合成樹脂製の上方に開放した缶本体と、この缶本体内に嵌装される合成樹脂製の上方に開放した内側容器と、缶本体の上方開口部に嵌着される合成樹脂製の缶蓋と、缶本体に対する缶蓋の止着手段とを備え、
前記内側容器の開口周縁に、缶本体の開口周縁上に被さる鍔部が形成され、
前記缶蓋の周縁に下向きに開放した環状溝部を備えると共に、該環状溝部の溝底にパッキンが装填され、
缶本体内に前記内側容器を嵌装し、缶本体の開口周縁とこれに被さる内側容器の鍔部とを缶蓋の環状溝部に嵌合して前記止着手段で止着することにより、缶内を封止するように構成されてなるポリペール缶。
【請求項２】
前記止着手段は、缶本体の開口周縁から外側へ張出した環状係止部の先端縁を、缶蓋の環状溝部における外周壁の内面側に設けた係止突縁部に係止させるものである請求項１記載のポリペール缶。
【請求項３】
前記止着手段は、缶本体の開口周縁と缶蓋の環状溝部との嵌合部分を外側から周回して締め付ける緊締バンドである請求項１記載のポリペール缶。
【請求項４】
缶本体の胴部及び底壁部の肉厚が１．０〜３．０ｍｍ、内側容器の全体の肉厚が０．１〜０．５ｍｍである請求項１〜３のいずれかに記載のポリペール缶。
【請求項５】
缶本体及び内側容器は下方へ縮径した略円筒形であって、該内側容器が熱可塑性樹脂フィルムの真空成形品からなる請求項１〜４の何れかに記載のポリペール缶。
【請求項６】
缶本体の底壁部と該缶本体内に収容した内側容器の底壁部とが離間し，両底壁部間の空間と内側容器内とに異なる収容物を収容可能とした請求項１〜５の何れかに記載のポリペール缶。
【発明の詳細な説明】
【技術分野】
【０００１】
本発明は、プラスチック製で缶蓋付きのポリペール缶に関する。
【背景技術】
【０００２】
一般的に、この種のポリペール缶は、缶本体及び缶蓋がポリプロピレン、ポリエチレン、ポリ塩化ビニル等の合成樹脂の硬質成形物からなり、缶本体の開口周縁部に外側へ張出した環状係止部が形成されると共に、缶蓋の周縁に下向きに開放した環状溝部を有し、該環状溝部の溝底にパッキンを嵌装し、この環状溝部に缶本体の開口周縁部を嵌入係止することによって缶内を封止するように構成されている（特許文献１）。
【先行技術文献】
【特許文献】
【０００３】
【特許文献１】特開平７−３３００１０号公報
【発明の概要】
【発明が解決しようとする課題】
【０００４】
しかるに、ポリペール缶は、金属製ペール缶のような錆の問題がなく、且つ安価に製造できるという利点はあるが、ワンウエイ缶として使用後には廃棄されるの普通であり、回収しても廃プラスチック材としての再生原料にする程度である。これは、ポリペール缶の場合、缶内面に付着した塗料や接着剤、樹脂、油のような収容物残渣を除去することが困難であり、その除去に要するコストが高く付く上、除去作業の際にプラスチックの缶内面が傷付き易いために再利用しにくいことによる。また、従来のポリペール缶では、収容物の性状によって使用するプラスチック材種が制約されるから、多様な収容物に対して共用できず、それだけコスト高になるという難点もあった。
【０００５】
本発明は、上述の事情に鑑みて、ポリペール缶として、収容物残渣の除去作業を要することなく缶本体を繰り返し再使用でき、且つ同じ缶本体を性状の異なる様々な収容物に共用できるものを提供することを目的としている。
【課題を解決するための手段】
【０００６】
上記目的を達成するための手段を図面の参照符号を付して示せば、請求項１の発明に係るポリペール缶は、合成樹脂製の上方に開放した缶本体１と、この缶本体１内に嵌装される合成樹脂製の上方に開放した内側容器２と、缶本体１の上方開口部１０に嵌着される合成樹脂製の缶蓋３と、缶本体１に対する缶蓋３の止着手段とを備え、内側容器２の開口２０周縁に、缶本体１の開口周縁上に被さる鍔部２１が形成され、缶蓋３の周縁に下向きに開放した環状溝部３１を有すると共に、該環状溝部３１の溝底にパッキン４が装填され、缶本体１内に内側容器２を嵌装し、缶本体１の開口周縁とこれに被さる内側容器２の鍔部２１とを缶蓋３の環状溝部３１に嵌合して前記止着手段で止着させることにより、缶内を封止するように構成されてなる。
【０００７】
請求項２の発明は、上記請求項１のポリペール缶において、前記止着手段は、缶本体１の開口周縁から外側へ張出した環状係止部１１の先端縁を、缶蓋３の環状溝部３１における外周壁の内面側に設けた係止突縁部３２に係止させるものとしている。
【０００８】
請求項３の発明は、上記請求項１のポリペール缶において、前記止着手段は、缶本体１の開口周縁と缶蓋３の環状溝部３１との嵌合部分を外側から周回して締め付ける緊締バンド６としている。
【０００９】
請求項４の発明は、上記請求項１〜３の何れかのポリペール缶において、缶本体１の胴部１ａ及び底壁部１ｂのの肉厚が１．０〜３．０ｍｍ、内側容器２の全体の肉厚が０．１〜０．５ｍｍである構成としている。
【００１０】
請求項５の発明は、上記請求項１〜４の何れかのポリペール缶において、缶本体１及び内側容器２は下方へ縮径した略円筒形であって、内側容器２が熱可塑性樹脂フィルムの真空成形品からなる構成としている。
【００１１】
請求項６の発明は、上記請求項１〜５の何れかのポリペール缶において、缶本体１の底壁部１ｂと該缶本体１内に収容した内側容器２の底壁部２ｂとが離間し，両底壁部１ｂ，２ｂ間の空間Ｓ１と内側容器２内（空間Ｓ２）とに異なる収容物を収容可能とした構成としている。
【発明の効果】
【００１２】
次に、本発明の効果を図面の参照符号を付して説明する。まず、請求項１の発明に係るポリペール缶によれば、缶本体１内に嵌装された内側容器２内に所要の収容物を収容し、該内側容器２の鍔部２１が缶本体１の開口周縁上に被さった状態で缶蓋３を嵌合し、止着手段によって缶内を封止でき、缶本体１の内面が収容物に対して非接触状態に保たれ、使用後の缶本体１の内面に収容物残渣が付着しないから、その除去作業を要することなく該缶本体１を繰り返し再使用できると共に、性状の異なる収容物にも同じ缶本体１を共用できる。一方、内側容器２については、使用後に廃棄することになるが、ポリペール缶としての機械的強度は缶本体１側で担えるから、合成樹脂フィルムの真空成形物のような薄肉で安価に製作できるものを利用できる。従って、内側容器２は言わばポリ袋扱いで再使用できなくとも僅かなコスト負担で済むため、ポリペール缶全体としてのコストは缶本体１の反復再使用で著しく低減できる上、内側容器２のみを収容物の性状に適した材質に設定すればよく、缶本体１側では専ら機械的特性を確保できればよいから、該缶本体１としても安価な材料を利用できる。
【００１３】
請求項２の発明によれば、缶蓋３の止着手段が、缶本体１の開口周縁から外側へ張出した環状係止部１１の先端縁を、缶蓋３の環状溝部３１における外周壁の内面側に設けた係止突縁部３２に係止させるものであるから、缶本体１に対して缶蓋３を圧嵌するだけで容易に止着できる上、缶蓋３が不用意に外れる懸念はなく、封止の信頼性が向上する。
【００１４】
請求項３の発明によれば、缶蓋３の止着手段が缶本体１の開口周縁と缶蓋３の環状溝部３１との嵌合部分を外側から周回して締め付ける緊締バンド６からなるため、缶本体１に対して缶蓋３を容易に確実に止着できると共に、この止着状態から緊締バンド６を取り外すことで缶蓋３を缶本体１から簡単に離脱できるから、缶蓋３の再使用が可能となる。
【００１５】
請求項４の発明によれば、缶本体１の胴部１ａ及び底壁部１ｂが特定範囲の肉厚を有することから、ポリペール缶としての充分な機械的強度と軽量性が得られると共に、内側容器２の全体の肉厚が特定範囲にあるため、該内側容器２を安価に製作できるという利点がある。
【００１６】
請求項４の発明によれば、缶本体１及び内側容器２が下方へ縮径した略円筒形をなすことから、使用前の保管や搬送において両者の複数個をそれぞれ嵌め重ねて嵩の低い状態にできると共に、内側容器２が真空成形品であるために非常に安価に製造できるという利点がある。
【００１７】
請求項５の発明によれば、缶本体１の底壁部１ｂと内側容器２の底壁部２ｂとの間に空間Ｓ１を有するから、この空間Ｓ１と内側容器２内（空間Ｓ２）とを利用して、使用時に混合する二種の材料（液剤Ｌ１，Ｌ２）や用途的に関連性の高い二種の材料を分離した状態で一缶に収容できる。
【図面の簡単な説明】
【００１８】
【図１】本発明の第一実施形態に係るポリペール缶の分解斜視図である。
【図２】同ポリペール缶における缶蓋の装着操作を示す要部の縦断側面図である。
【図３】同ポリペール缶の缶蓋装着状態を示す要部の縦断側面図である。
【図４】本発明の第二実施形態に係るポリペール缶を示し、（Ａ）は分解状態での縦断面図、（Ｂ）は製品収容状態での縦断面図である。
【図５】本発明の第三実施形態に係るポリペール缶の分解斜視図である。
【図６】同ポリペール缶における缶蓋の装着操作を示す要部の縦断側面図である。
【発明を実施するための形態】
【００１９】
次に、本発明に係るポリペール缶の実施形態について、図面を参照して具体的に説明する。図１〜図３に示す第一実施形態のポリペール缶は、下側へ縮径した略円筒形で上方に開放した缶本体１と、同じく下側へ縮径した略円筒形で上方に開放した内側容器２と、缶本体１の上方開口部１０に嵌着される略円盤状の缶蓋３とで構成されている。
【００２０】
缶本体１は、ポリプロピレン、ポリエチレン、ポリ塩化ビニル等の合成樹脂の硬質成形物からなり、缶蓋止着手段として、上端開放部１０の周縁から外側へ張出した縦断面下向き鉤形の環状係止部１１が形成されている。また、該缶本体１の上部外周には、上下２条の環状補強リブ１２，１３と、これらより下位にあって縦断面略下向きＬ字状をなすフランジ部１４とを備えており、径方向両側で下側の環状補強リブ１３とフランジ部１４との間に形成された矩形の支持枠部１５に、金属線からなる持ち手５の基端部が枢着されている。
【００２１】
内側容器２は、ポリプロピレンやポリエチレン等の熱可塑性樹脂フィルムから製作された真空成形物であり、開口２０の周縁から外側へ縦断面下側凹に湾曲して張出する鍔部２１を備えている。しかして、この内側容器２は、缶本体１の内側へ嵌装した状態で鍔部２１が缶本体１の環状係止部１１に被さると共に、胴部２ａが缶本体１の胴部１ａに密接して、且つ底壁部２ｂが缶本体１の内底面に接するように、寸法設定されている。
【００２２】
缶蓋３は、缶本体１と同様の合成樹脂の硬質成形物からなり、周縁に下向きに開放した環状溝部３１を備え、該環状溝部３１の溝底にリング状で断面円形のパッキン４が装填されると共に、該環状溝部３１を構成する外周壁３１ａの内面側に、缶蓋止着手段として縦断面爪形をなす係止突縁部３２がパッキン４のやや下位で全周にわたって形成されている。そして、環状溝部３１は缶本体１の環状係止部１１が嵌入し得る径及び内奥幅に設定されているが、係止突縁部３２の形成位置における溝幅は缶本体１の環状係止部１１の幅よりも狭くなっている。なお、該蓋板３の天板部３ａには周辺寄りに位置して切取り開放式の注ぎ口３３が設けられ、また環状溝部３１の外周壁３１ａの下部には切取り用の環状薄肉部３４が形成され、更に天板部３ａの表裏周辺部と環状溝部３１の内周壁３１ｂとの間には、補強リブ３５ａ，３５ｂが周方向一定間隔置きに形成されている。
【００２３】
上記構成のポリペール缶を使用するには、まず図２に示すように、缶本体１内に内側容器２を嵌装し、該内側容器２内に所要の収容物（図示省略）を所定量注入（液剤）又は充填（粉末や顆粒）したのち、上方から缶蓋３を当てがって押圧する。これにより、図３に示すように、缶本体１の環状係止部１１上に内側容器２の鍔部２１が被さった状態の開口周縁部は、材料弾性による変形を伴って缶蓋３の環状溝部３１の内奥へ強制的に圧入され、缶蓋係止手段を構成する環状係止部１１の先端が環状溝部３１の係止突縁部３２の上側に係合して抜出不能になる。また、該開口周縁部の圧入によって圧縮されたパッキン４が、環状溝部３１該開口周縁部の上面つまり鍔部２１の表面に密着状態に弾接し、もって缶内が外部に対して封止される。
【００２４】
かくして缶蓋３によって封止したポリペール缶では、内側容器２内に収容物が入っていることから、缶本体１の内面は収容物に対して非接触状態に保たれる。また、ポリペール缶としての機械的強度は缶本体１によって担われると共に、内容物の重量ならびに搬送中の内容物の揺動による側圧も缶本体１に負荷するから、内側容器２は専ら缶本体１の内面に収容物が接するのを防ぐ遮断層として機能している。従って、使用後の缶本体１は、内面に収容物残渣が付着していないため、収容物残渣の除去作業を要することなく何度も再使用できる。一方、使用後の内側容器２は収容物残渣が付着しているので廃棄するが、安価で薄肉の真空成形物であるから、言わばポリ袋扱いで再使用できなくとも僅かなコスト負担で済む。よって、ポリペール缶全体としてのコストは缶本体１の反復再使用で著しく低減できる。
【００２５】
また、このようなポリペール缶においては、安価な内側容器２のみを収容物の性状に適した材質に設定すればよく、缶本体１側は収容物の性状による材質面の制約がない。従って、缶本体１は、性状の収容物に対して同じものを共用できる上、缶としての強度のみを確保できればよく、耐薬品性等の化学的特性を考慮する必要がないから、安価な樹脂材料を使用できる。更に、缶本体１及び内側容器２は、共に下方へ縮径した略円筒形をなすことから、使用前の保管や搬送において両者の複数個をそれぞれ嵌め重ねて嵩の低い状態にできるという利点もある。
【００２６】
なお、缶本体１の上側の環状補強リブ１２は、缶蓋３による封止状態において、先端縁が缶蓋３の環状溝部３１における外周壁３１ａの下端縁に近接して配置することで、該外周壁３１ａの内側に他物品が入り込むのを阻止し、もって缶蓋３が他物品の引っ掛かりで外れるのを防止している。また、該外周壁３１ａの環状薄肉部３４は、缶蓋３を取り外す際にその部分から下方側を切り取ることにより、当該外周壁３１ａと環状補強リブ１２との間にこじ開け用の隙間を形成するようになっている。
【００２７】
ここで、缶本体１としては、ポリペール缶としての充分な機械的強度と軽量性を得る上で、胴部１ａ及び底壁部１ｂの肉厚が１．０〜３．０ｍｍ程度であることが好ましい。また、内側容器２は、熱可塑性樹脂フィルムの真空成形物としての材料及び製造コスト面より、全体の肉厚が０．１〜０．５ｍｍ程度であることが推奨される。
【００２８】
図４に示す第二実施形態のポリペール缶は、缶本体１及び缶蓋３は前記第一実施形態と同様であるが、内側容器２が缶本体１に対して深さの浅いものになっている。このポリペール缶では、第一実施形態と同様にして缶蓋３による封止を行うが、同図（Ｂ）で示すように、缶本体１内に内側容器２を嵌装した状態において、缶本体１の底壁部１ａと内側容器２の底壁部２ｂとの間に構成される空間Ｓ１が構成されるから、この空間Ｓ１と内側容器２内の空間Ｓ２とを利用して、使用時に混合する二種の液剤Ｌ１，Ｌ２を相互に分離した状態で収容している。
【００２９】
なお、液剤Ｌ１，Ｌ２としては、例えば二液性（反応硬化性）の接着剤や塗料における主剤と硬化剤、一般的塗料における樹脂溶液と希釈溶剤等が挙げられる。また、両空間Ｓ１，Ｓ２に分離して収容する二種の材料は、液剤Ｌ１，Ｌ２に限らず、一方又は両方が粉末や顆粒等の固形物であってもよいし、また使用時に混合するものでなくとも用途的に関連性の高いものも収容対象となる。ただし、缶本体１を繰り返し使用する上で、空間Ｓ１側には付着しにくい材料や除去又は清掃容易な材料を収容するのがよい。
【００３０】
しかして、内側容器２は、熱可塑性樹脂フィルムの真空成形物等として安価に製造できるから、空間Ｓ１，Ｓ２の容積比が分離収容する二種の材料の混合比率に対応するように、種々の深さのものを低コストで容易に調達・準備することができる。
【００３１】
図５及び図６で示す第三実施形態のポリペール缶は、缶本体１及び内側容器２は前記第一実施形態とほぼ同様であるが、缶蓋３は缶蓋止着手段としての緊締バンド６を介して缶本体１に止着する構造になっている。
【００３２】
緊締バンド６は、外レバー式の金属製のもので、断面が底辺側に開いた台形で開環状のバンド本体６１の一端側に、相似断面で当該バンド本体１に外嵌し得る円弧状の操作レバー６２が枢着されると共に、該バンド本体６１の他端側と操作レバー６２の中間部との間に針金を矩形に曲成したリンク片６３が枢着連結され、またバンド本体６１の操作レバー６２から所定距離の位置に鉤形のロック片６４が枢着されている。そして、この緊締バンド６では、操作レバー６２をバンド本体６１側へ引き付けて該バンド本体６１に外嵌させることにより、バンド本体６１が縮径して緊締状態になると共に、この状態でロック片６４を回動させて操作レバー６２の先端の係止孔６２ａに嵌入させることにより、該操作レバー６２がロックされて緊締状態で固定される。
【００３３】
なお、缶本体１の開口周縁は外側へ縦断面Ｕ字形に折り返す形で鍔部１６を形成しており、該缶本体１内に内側容器２を嵌装することにより、該鍔部１６上に内側容器２の鍔部２１が被さるようになっている。また、缶蓋３は、環状周壁３０を有すると共に、該環状周壁３０の上端から外側へ断面半円形の鍔部３０ａが張出し、この鍔部３０ａの下面が下向きに開放した環状溝部３１を構成し、また天板部３ａには補強用の環状凸部３６が下向きに突設されている。
【００３４】
この第三実施形態のポリペール缶では、缶本体１内に内側容器２を嵌装し、該内側容器２内に所要の収容物（図示省略）を所定量注入（液剤）又は充填（粉末や顆粒）した上で、図６に示すように、まず環状溝部３１にリング状で断面半円形のパッキン４を接着した缶蓋３を上方から被せる。これによって缶蓋３の環状周壁３０が内側容器２に内嵌すると共に、缶本体１の鍔部１６上に内側容器２の鍔部２１が被さった状態の開口周縁部に、缶蓋３の環状溝部３１がパッキン４を介して嵌合するから、この嵌合部分の外側に緊締バンド６のバンド本体６１を周回嵌合させて緊締することにより、パッキン４の圧縮を伴って缶内が外部に対して封止される。
【００３５】
この構成においては、前記第一実施形態と同様に、内側容器２内に収容物が入っており、缶本体１の内面は収容物に対して非接触状態に保たれるから、使用後の缶本体１は収容物残渣の除去作業を要することなく何度も再使用できる。また、缶蓋３は、緊締バンド６を取り外すことで簡単に缶本体１から離脱できると共に、上部に位置して収容物の付着が少ないため、簡単な洗浄を施すだけで再使用が可能となる。
【００３６】
なお、緊締バンド６としては、上記第三実施形態では外レバー式のものを使用しているが、内レバー式やボルト締付式のものも使用可能である。またバンド本体６１の断面形状は、例示した底辺側に開いた台形に限らず、Ｖ字形、Ｕ字形、Ｃ字形、くの字形、半円形等の所謂山形で、緊締によって嵌合部分を上下に圧迫できる形状であればよい。
【００３７】
更に、本発明のポリペール缶では、内側容器２の開口２０の封鎖用として、同様の熱可塑性樹脂フィルムの真空成形物からなる内蓋を用い、もって缶蓋３についても収容物と非接触として再使用可能にする構成としてもよい。また、第一実施形態の缶蓋３では天板部３ａに切取り開放式の注ぎ口３３を設けているが、捻回式のキャップを有する注ぎ口を設けてもよい。一方、第一〜第三実施形態で例示したポリペール缶では缶本体１及び内側容器２が共に下側へ縮径した略円筒形をなすが、本発明のポリペール缶は缶本体１及び内側容器２が共に上端から下端まで一定内径の円筒形でもよい。その他、本発明においては、缶本体１及び缶蓋３の細部構成について、実施形態以外に種々設計変更可能である。
【符号の説明】
【００３８】
１        缶本体
１ａ      胴部
１ｂ      底壁部
１０      上端開口部
１１      環状係止部（蓋板止着手段）
１６      鍔部
２        内側容器
２ａ      胴部
２ｂ      底壁部
２０      開口
２１      鍔部
３        缶蓋
３１      環状溝部
３１ａ    外周壁
３２      係止突縁部（蓋板止着手段）
４        パッキン
６        緊締バンド（蓋板止着手段）
Ｓ１      空間
Ｓ２      空間（内側容器内）
【図１】
2011105320.tif 000003
【図２】
2011105320.tif 000004
【図３】
2011105320.tif 000005
【図４】
2011105320.tif 000006
【図５】
2011105320.tif 000007
【図６】
2011105320.tif 000008